(57)【要約】  ファン制御装置（１Ａ）が、ＭＸＭカード（２）を冷却するファン（３１、３２）の回転を制御する任意の信号を生成するＰＷＭ生成回路（６Ａ）と、ＭＸＭカード（２）とファン（３１、３２）との間で、ＰＷＭ生成回路（６Ａ）によって生成された任意の信号から、ＭＸＭカード（２）からの信号に、ファン（３１、３２）への出力を切り替えるＰＷＭ切替回路（７Ａ）と、ＰＷＭ切替回路（７Ａ）の切り替えを所定のタイミングで指示する切替指示部（８）とを備えることとしたので、発熱部品を冷却するためのファンを適切に制御できる。
2012111158.tif 000002
【特許請求の範囲】
【請求項１】
発熱部品を冷却するファンの回転を制御する任意の信号を生成する信号生成回路と、
前記発熱部品と前記ファンとの間で、前記信号生成回路によって生成された前記任意の信号から、前記発熱部品からの信号に、前記ファンへの出力を切り替える切替回路と、
前記切替回路の切り替えを所定のタイミングで指示する切替指示部と
を有することを特徴とするファン制御装置。
【請求項２】
前記切替指示部は、
第１プログラムから第２プログラムに制御が切り替わったとき、前記切替回路の切り替えを指示することを特徴とする請求項１に記載のファン制御装置。
【請求項３】
前記切替指示部は、
ユーザからの指示があったとき、前記切替回路の切り替えを指示することを特徴とする請求項１に記載のファン制御装置。
【請求項４】
前記発熱部品の可能性のある温度と対応させて、変更可能な前記ファンの回転情報を記憶する記憶部と、
前記記憶部に記憶された、前記温度と前記ファンの回転情報とを用いて、前記発熱部品の温度に対応するファンの回転を制御する信号を前記発熱部品から出力させる制御部と
をさらに有することを特徴とする請求項１に記載のファン制御装置。
【請求項５】
前記ファンの回転を制御する信号が電圧信号である場合、前記発熱部品と前記切替回路との間に、前記発熱部品からの信号を電圧信号に変換する変換回路を有し、
前記切替回路は、
前記信号生成回路によって生成された前記任意の電圧信号から前記変換回路によって変換された電圧信号に、前記ファンへの出力を切り替えることを特徴とする請求項１に記載のファン制御装置。
【請求項６】
発熱部品を冷却するファンにおける回転を制御するファン制御方法であって、
前記ファンの回転を制御する信号を切り替える切替回路に、前記発熱部品からの信号および前記任意の信号を入力し、
前記切替回路の切り替えが所定のタイミングで指示されると、前記任意の信号から前記発熱部品からの信号に、前記ファンへの出力を切り替える
ことを特徴とするファン制御方法。
【発明の詳細な説明】
【技術分野】
【０００１】
本発明は、ファン制御装置等に関する。
【背景技術】
【０００２】
電子機器にＭＸＭ（Mobile  PCI−Express  Module）カード等の発熱量が高い発熱部品が搭載される場合、ファンが電子機器に搭載され発熱部品を冷却する。図１４は、ＭＸＭカードを大型のファン１個で冷却する場合の説明図である。図１４に示すように、ＭＸＭカード２００は、大型のファン２０１と接続する。そして、ＯＳ（Operating  System）上で動作するＭＸＭカード２００のドライバは、温度回路(Thermal  Integrated  Circuit)２００ｔにより検知された温度に応じたＰＷＭ（Pulse  Width  Modulation）信号でファン２０１を制御する。【０００３】
ファンの冷却効果をあげるために、ＭＸＭカードを小型のファン２個で冷却する場合がある。図１５は、ＭＸＭカードを小型のファン２個で冷却する場合の説明図である。図１５に示すように、ＭＸＭカード３００は、小型の２個のファン３０１、３０２と接続する。そして、ＯＳ上で動作するＭＸＭカード３００のドライバは、温度回路３００ｔにより検知された温度に応じたＰＷＭ信号でファン３０１、３０２を制御する。【０００４】
また、ファンを制御する制御装置は、システムの起動時に、ＰＷＭ信号のデューティーサイクルに対応した電圧値が基準電圧値よりも高いとき、ＰＷＭ信号に基づいて、可変の回転速度でファンを制御する。一方、制御装置は、ＰＷＭ信号のディーティーサイクルに対応した電圧値が基準電圧値よりも低いとき、ファンを固定の低速回転に保持することで、雑音の発生を減少させる技術が開示されている。
【先行技術文献】
【特許文献】
【０００５】
【特許文献１】特開２００７−４３８９０号公報
【特許文献２】特開２００１−２９８９８９号公報
【発明の概要】
【発明が解決しようとする課題】
【０００６】
しかしながら、従来の発熱部品を冷却するためのファンの制御では、ファンを適切に制御することができない場合があった。例えば、ＭＸＭカードのドライバは、ＭＸＭカードの温度に応じたＰＷＭ信号でファンを制御するが、ＯＳが起動するまでは、ファンを制御できない。そこで、ＯＳが起動するまでは、ファンの回転が最大となるＰＷＭ信号またはファンの回転がゼロとなるＰＷＭ信号でファンは制御される。ファンが最大回転となるＰＷＭ信号で制御される場合、ＯＳが起動するまで、ファンの音がうるさく感じられるという問題がある。また、ファンがゼロ回転となるＰＷＭ信号で制御される場合、ＯＳの起動に伴って、発熱部品の熱が上昇してしまうという問題がある。【０００７】
なお、上記課題は、発熱部品を冷却するためのファンの制御において、システムが起動するまでに限らず、システムが起動した後の通常の動作中にも同様に生じる課題である。例えば、ファンがドライバによって温度に応じたＰＷＭ信号で制御される場合であっても、ユーザによってはファンの音がうるさく感じられることがある。【０００８】
開示の技術は、上記に鑑みてなされたものであって、発熱部品を冷却するためのファンを適切に制御するファン制御装置等を提供することを目的とする。
【課題を解決するための手段】
【０００９】
本願の開示するファン制御装置は、一つの態様において、発熱部品を冷却するファンの回転を制御する任意の信号を生成する信号生成回路と、前記発熱部品と前記ファンとの間で、前記信号生成回路によって生成された前記任意の信号から、前記発熱部品からの信号に、前記ファンへ出力する信号を切り替える切替回路と、前記切替回路の切り替えを所定のタイミングで指示する切替指示部とを有する。
【発明の効果】
【００１０】
本願の開示するファン制御装置の一つの態様によれば、発熱部品を冷却するためのファンを適切に制御できるという効果を奏する。
【図面の簡単な説明】
【００１１】
【図１】図１は、実施例１に係るファン制御装置の構成を示す機能ブロック図である。
【図２】図２は、実施例１に係るファン制御の手順を示すフローチャートである。
【図３】図３は、実施例１に係るファン制御装置の変形例の構成を示すブロック図である。
【図４】図４は、実施例１に係るファン制御の変形例の手順を示すフローチャートである。
【図５】図５は、実施例１に係るファン制御のタイムチャートを示す図である。
【図６】図６は、実施例２に係るファン制御装置の構成を示すブロック図である。
【図７】図７は、実施例２に係るファン制御の手順を示すフローチャートである。
【図８】図８は、ファン制御アプリケーションのデフォルトの画面例について説明する図である。
【図９】図９は、ファンの回転によって発生する音を下げたい場合のファン制御アプリケーションの画面の設定例について説明する図である。
【図１０】図１０は、装置本体の温度を低くしたい場合のファン制御アプリケーションの画面の設定例について説明する図である。
【図１１】図１１は、実施例に係るファン制御を用いるモバイルワークステーションの概観の一例を示す図である。
【図１２】図１２は、ＶＧＡカードの本体部における搭載場所の一例を示す図である。
【図１３】図１３は、実施例に係るファン制御を用いるモバイルワークステーションのハードウェア構成の一例を示す図である。
【図１４】図１４は、ＭＸＭカードを大型のファン１個で冷却しようとした場合の説明図である。
【図１５】図１５は、ＭＸＭカードを小型のファン２個で冷却しようとした場合の説明図である。
【発明を実施するための形態】
【００１２】
以下に、本願の開示するファン制御装置およびファン制御方法の実施例を図面に基づいて詳細に説明する。なお、以下の実施例は、部品としてＶＧＡ（Video  Graphics  Array）カードを一例とするＭＸＭ（Mobile  PCI−Express  Module）カードを対象にする。しかし、本実施例によりこの発明が限定されるものではなく、対象部品は、システムの動作中に発熱する部品であってファンで冷却する部品であれば良い。
【実施例１】
【００１３】
［実施例１に係るファン制御装置の構成］
図１は、実施例１に係るファン制御装置の構成を示す機能ブロック図である。図１に示すように、ファン制御装置１Ａは、制御部４、記憶部５、ＰＷＭ（Pulse  Width  Modulation）生成回路６Ａ、ＰＷＭ切替回路７Ａおよび切替指示部８を有する。【００１４】
ファン制御装置１Ａは、ＭＸＭカード２およびファン３１、３２と接続する。そして、ファン制御装置１Ａは、ＢＩＯＳ（Basic  Input/Output  System）からＯＳ（Operating  System）へ制御が切り替わるまでは、ＭＸＭカード２を冷却するファン３１、３２の回転を任意のＰＷＭ信号で制御する。そして、ファン制御装置１Ａは、ＢＩＯＳからＯＳへ制御が切り替わったタイミングで、任意のＰＷＭ信号から、ＭＸＭカード２からの温度に応じたＰＷＭ信号に、ファン３１、３２への出力を切り替える。【００１５】
ＭＸＭカード２は、ＰＣＩ−Ｅｘｐｒｅｓｓをベースとしたノートパソコン向けのグラフィックス拡張インタフェース規格（ＭＸＭ）のグラフィックスカードである。また、ＭＸＭカード２は、温度を検出する温度検出回路２１を備える。すなわち、ＭＸＭカード２は、ノートパソコン等の装置本体のメインボードに搭載され、装置が動作すると発熱する発熱部品である。なお、ＭＸＭカード２は、例えば、ＶＧＡカードであるが、ＧＰＵ（Graphics  Processing  Unit）であっても良く、装置が動作すると発熱する発熱部品であれば良い。【００１６】
ファン３１、３２は、ＭＸＭカード２を冷却するファンである。ファン３１、３２は、モータ、そのモータの回転軸に取り付けられた羽根を有する。ファン３１、３２は、例えば、後述するＰＷＭ切替回路７ＡからのＰＷＭ信号に基づいて回転する。このＰＷＭ信号は、ファンの回転数に対応した波形となり、ファンの回転数に応じてデューティーサイクルおよびデューティー比が異なるものである。なお、ここでいうファンの回転数とは、例えば１秒間当たりの回転数を意味する。【００１７】
制御部４は、ＯＳ上で動作するＶＧＡドライバ４１を有する。ＶＧＡドライバ４１は、ＭＸＭカード２の温度に応じてファン３１、３２の回転を制御する。一例として、ＶＧＡドライバ４１は、温度検出回路２１によって検出された温度に応じたＰＷＭ信号を、ＭＸＭカード２からＰＷＭ切替回路７Ａへ出力させる。ここで、ＢＩＯＳからＯＳに制御が切り替わるまでは、ＶＧＡドライバ４１は、起動できないので、ＭＸＭカード２の温度に応じたＰＷＭ信号を制御できない。そこで、ＢＩＯＳからＯＳに制御が切り替わるまでは、ＭＸＭカード２は、ファンの回転数が最大回転を含む高レベルとなるＰＷＭ信号またはファンの回転数が無回転を含む低レベルとなるＰＷＭ信号を出力する。そして、ＢＩＯＳからＯＳに制御が切り替わった後は、ＶＧＡドライバ４１は、ＭＸＭカード２の温度に応じたＰＷＭ信号をＭＸＭカード２に出力させる。なお、制御部４は、例えば、ＡＳＩＣ（Application  Specific  Integrated  Circuit）やＦＰＧＡ（Field  Programmable  Gate  Array）等の集積回路、ＣＰＵ（Central  Processing  Unit）、ＭＰＵ（Micro  Processing  Unit）またはＧＰＵ等の電子回路である。また、ＶＧＡドライバ４１等のプログラムが例えばＧＰＵを機能させることで実現することができる。【００１８】
記憶部５は、回転情報記憶領域５１を有する。なお、記憶部５は、例えば、ＲＡＭ（Random  Access  Memory）、フラッシュメモリ（flash  memory）等の半導体メモリ素子、または、ハードディスク、光ディスク等の記憶装置を含む。回転情報記憶領域５１には、ファン３１、３２の任意の回転数を記憶する。ここで、任意の回転数とは、装置のユーザがファン３１、３２の音をうるさく感じない程度の回転数であってＭＸＭカード２を冷却可能な回転数を指す。一例として、任意の回転数は、１秒間当たりの最大回転数の６６％を示す。【００１９】
ＰＷＭ生成回路６Ａは、ＭＸＭカード２を冷却するファン３１、３２の回転を制御する任意のＰＷＭ信号を生成する。一例として、ＰＷＭ生成回路６Ａは、回転情報記憶領域５１に記憶された任意の回転数を読み出し、読み出した任意の回転数に対応したＰＷＭ信号を生成する。そして、ＰＷＭ生成回路６Ａは、生成したＰＷＭ信号をＰＷＭ切替回路７Ａに出力する。【００２０】
ＰＷＭ切替回路７Ａは、ＭＸＭカード２とファン３１、３２との間で、所定のタイミングで、ＰＷＭ生成回路６Ａによって生成された任意のＰＷＭ信号から、ＭＸＭカード２からのＰＷＭ信号に、ファン３１、３２への出力を切り替える。一例として、ＰＷＭ切替回路７Ａは、ＰＷＭ生成回路６Ａによって生成された任意のＰＷＭ信号を入力するとともに、ＭＷＭカード２からのＰＷＭ信号を入力する。ＰＷＭ切替回路７Ａは、後述する切替指示部８によって指示されるまでは、入力したＰＷＭ信号のうち、任意のＰＷＭ信号をファン３１、３２へ出力する。そして、ＰＷＭ切替回路７Ａは、切替指示部８によって指示されたタイミングで、ファン３１、３２への出力を、任意のＰＷＭ信号から、ＭＸＭカード２からのＰＷＭ信号に切り替える。【００２１】
切替指示部８は、ＰＷＭ切替回路７Ａの切り替えを所定のタイミングで指示する。一例として、切替指示部８は、所定のタイミングをＢＩＯＳからＯＳに制御が切り替わったタイミングとして、ＰＷＭ切替回路７Ａの切り替えを指示する。すなわち、ＢＩＯＳからＯＳに制御が切り替わると、ＶＧＡドライバ４１は、起動できるので、起動後は温度に応じたＰＷＭ信号を制御できる。そこで、切替指示部８は、ＢＩＯＳからＯＳに制御が切り替わったタイミングで、ＰＷＭ切替回路７Ａに対し、任意のＰＷＭ信号からＭＸＭカード２からのＰＷＭ信号への切り替えを指示する。この指示を受け、ＰＷＭ切替回路７Ａは、任意のＰＷＭ信号から温度に応じたＰＷＭ信号に出力を切り替える。【００２２】
［実施例１に係るファン制御の手順］
次に、実施例１に係るファン制御の手順を、図２を参照して説明する。図２は、実施例１に係るファン制御の手順を示すフローチャートである。図２の例は、ＭＸＭカード２からのＰＷＭ信号のデフォルト値を高レベル（“Ｈ”）にしている。【００２３】
まず、ＭＸＭカード２、ファン３１、３２およびファン制御装置１Ａが搭載された装置の電源がパワーオンされると（ステップＳ１１）、ＢＩＯＳがＰＯＳＴ（Power  On  Self  Test）処理を開始する。そして、ＭＸＭカード２は、ＭＸＭカード２からのＰＷＭ信号をデフォルトの高レベルにしてＰＷＭ切替回路７Ａへ出力する（ステップＳ１２）。例えば、ＭＸＭカード２は、ファン３１、３２の回転が最大となるＰＷＭ信号をＰＷＭ切替回路７Ａへ出力する。一例として、ＭＸＭカード２は、デューティー比が１．０となるようなＰＷＭ信号を出力する。【００２４】
そして、ＭＸＭカード２からのＰＷＭ信号と並行して、ＰＷＭ生成回路６Ａは、任意のＰＷＭ信号を生成し、ＰＷＭ切替回路７Ａに出力する（ステップＳ１３）。任意のＰＷＭ信号とは、装置のユーザがファン３１、３２の音をうるさく感じない程度の回転数に対応したＰＷＭ信号であってＭＸＭカード２を冷却可能な回転数に対応したＰＷＭ信号を指す。【００２５】
そして、ファン３１、３２は、ＰＷＭ切替回路７Ａから任意のＰＷＭ信号を受け取り、受け取った任意のＰＷＭ信号に対応する回転数で回転する（ステップＳ１４）。この結果、ファン３１、３２によって発生する音は、高レベルのＰＷＭ信号に対応する回転数で回転する音よりも低減される。【００２６】
その後、ＢＩＯＳがＰＯＳＴ処理を終了し、ＯＳへ制御を受け渡す（ステップＳ１５）。そして、切替指示部８は、ＢＩＯＳがＯＳへ制御を受け渡したか、すなわちＢＩＯＳからＯＳへ制御が切り替わったか否かを判定する（ステップＳ１６）。ＢＩＯＳがＯＳへ制御を受け渡していないと判定した場合（ステップＳ１６；Ｎｏ）、切替指示部８は、制御を受け渡したと判定されるまで、判定を繰り返す。【００２７】
一方、ＢＩＯＳがＯＳへ制御を受け渡したと判定した場合（ステップＳ１６；Ｙｅｓ）、切替指示部８は、ＰＷＭ切替回路７Ａの切り替えを指示する（ステップＳ１７）。この指示を受け、ＰＷＭ切替回路７Ａは、任意のＰＷＭ信号から、ＭＸＭカード２からのＰＷＭ信号に、ファン３１、３２への出力を切り替える。【００２８】
そして、ＯＳが起動処理を行う（ステップＳ１８）。そして、ＯＳが起動すると、ＶＧＡドライバ４１が起動し、ＭＸＭカード２を冷却するファンの制御を開始する（ステップＳ１９）。この後、ＶＧＡドライバ４１は、ＭＸＭカード２の温度に応じたＰＷＭ信号をＭＸＭカード２に出力させる。【００２９】
図２は、ＭＸＭカード２からのＰＷＭ信号のデフォルト値を高レベル（“Ｈ”）にしている。しかし、ＭＸＭカード２からのＰＷＭ信号のデフォルト値が低レベル（“Ｌ”）であっても良い。デフォルト値が低レベルの場合には、Ｓ１２において、ＭＸＭカード２は、ＭＸＭカード２からのＰＷＭ信号をデフォルトの低レベルにしてＰＷＭ切替回路７Ａへ出力するようになる。例えば、ＭＸＭカード２は、ファン３１、３２の回転が無回転となるＰＷＭ信号をＰＷＭ切替回路７Ａへ出力する。一例として、ＭＸＭカード２は、デューティー比が最小の０．０となるようなＰＷＭ信号を出力する。そして、ファン３１、３２は、ＰＷＭ切替回路７Ａから任意のＰＷＭ信号を受け取り、受け取った任意のＰＷＭ信号に対応する回転数で回転することになる。この結果、ファン３１、３２は、低レベルのＰＷＭ信号に対応して無回転となるよりも、回転によって発熱部品（ＭＸＭカード２）により発生する熱を冷却できる。【００３０】
ところで、実施例１に係るファン制御装置１Ａは、ファン３１、３２の回転を制御する信号をＰＷＭ信号としている。しかしながら、実施例１に係るファン制御装置１Ａは、これに限定されるものではなく、ファン３１、３２の回転を制御する信号を電圧レベルの信号としても良い。【００３１】
［実施例１に係るファン制御装置の変形例］
そこで、実施例１に係るファン制御装置の変形例として、ファン３１、３２の回転を制御する信号を電圧レベルの信号とする場合を説明する。【００３２】
図３は、実施例１に係るファン制御装置の変形例の構成を示すブロック図である。なお、図１に示すファン制御装置１Ａと同一の構成については同一符号を示すことで、その構成および動作の説明については省略する。実施例１に係るファン制御装置１Ａと変形例のファン制御装置１Ｂとが異なるところは、ＰＷＭ生成回路６Ａを電圧生成回路６Ｂに変更し、ＰＷＭ切替回路７Ａを電圧レベル切替回路７Ｂに変更した点にある。さらに、実施例１に係るファン制御装置１Ａと変形例のファン制御装置１Ｂとが異なるところは、変換回路９を追加した点にある。【００３３】
電圧生成回路６Ｂは、ＭＸＭカード２を冷却するファン３１、３２の回転を制御する任意の電圧レベルの信号を生成する。一例として、電圧生成回路６Ｂは、回転情報記憶領域５１に記憶された任意の回転数を読み出し、読み出した任意の回転数に対応した電圧レベルの信号を生成する。そして、電圧生成回路６Ｂは、生成した電圧レベルの信号を後述する電圧レベル切替回路７Ｂに出力する。【００３４】
変換回路９は、ＭＸＭカード２と後述する電圧レベル切替回路７Ｂとの間において、ＭＸＭカード２からのＰＷＭ信号を電圧レベルの信号に変換する。そして、変換回路９は、変換した電圧レベルの信号を電圧レベル切替回路７Ｂに出力する。【００３５】
電圧レベル切替回路７Ｂは、例えばＢＩＯＳからＯＳへ制御が切り替わるタイミングで、任意の電圧レベルの信号から、変換回路９によって変換された電圧レベルの信号に、ファン３１、３２への出力を切り替える。一例として、電圧レベル切替回路７Ｂは、電圧生成回路６Ｂによって生成された任意の電圧レベルの信号を入力するとともに、変換回路９によって変換された電圧レベルの信号を入力する。電圧レベル切替回路７Ｂは、切替指示部８によって指示されるまでは、入力した電圧レベルの信号のうち、任意の電圧レベルの信号をファン３１、３２へ出力する。そして、電圧レベル切替回路７Ｂは、切替指示部８によって指示されるタイミング、例えばＢＩＯＳからＯＳへ制御が切り替わるタイミングで、ファン３１、３２への出力を、任意の電圧レベルの信号から、変換された電圧レベルの信号に切り替える。【００３６】
図４は、実施例１に係るファン制御の変形例の手順を示すフローチャートである。図４の例は、ＭＸＭカード２からのＰＷＭ信号のデフォルト値を高レベル（“Ｈ”）にしている。なお、実施例１に係るファン制御の手順と同一の手順については同一符号を示すことで、その重複する手順の説明について省略する。【００３７】
まず、ＭＸＭカード２、ファン３１、３２およびファン制御装置１Ｂが搭載された装置の電源がパワーオンされると（ステップＳ１１）、ＢＩＯＳがＰＯＳＴ処理を開始する。そして、ＭＸＭカード２は、ＭＸＭカード２からのＰＷＭ信号をデフォルトの高レベルにして変換回路９へ出力する。さらに、変換回路９は、ＭＸＭカード２から出力されたＰＷＭ信号を電圧レベルの信号に変換し、電圧レベル切替回路７Ｂへ出力する（ステップＳ２２）。【００３８】
そして、変換回路９からの電圧レベルの信号の出力と並行して、電圧生成回路６Ｂは、任意の電圧レベルの信号を生成し、生成した任意の電圧レベルの信号をファンの電源として電圧レベル切替回路７Ｂに出力する（ステップＳ２３）。任意の電圧レベルの信号とは、装置のユーザがファン３１、３２の音をうるさく感じない程度の回転数に対応した電圧レベルであってＭＸＭカード２を冷却可能な回転数に対応した電圧レベルの信号を指す。【００３９】
そして、ファン３１、３２は、電圧レベル切替回路７Ｂから任意の電圧レベルの信号に対応した任意の制御用電圧を受け取り、受け取った任意の制御用電圧に対応する任意の回転数で回転する（ステップＳ２４）。その後の手順については、実施例１に係るファン制御の手順と同一の手順となる。【００４０】
［実施例１に係るファン制御のタイムチャート］
次に、実施例１に係るファン制御のタイムチャートについて、図５を参照しながら説明する。図５は、実施例１に係るファン制御のタイムチャートを示す図である。図５の例は、ＭＸＭカード２からのＰＷＭ信号がデフォルト“Ｈ”の状態からＶＧＡドライバ４１による制御状態に遷移している。なお、図５の例では、ファン制御装置１Ｂは、ファン３１、３２の回転を制御する信号を電圧レベルの信号として、ファンを制御するものとする。【００４１】
図５に示すように、装置の電源がパワーオンされる時刻ｔ１までは、装置が停止している。そのため、ＭＸＭカード２のＰＷＭ信号および任意の電圧レベルの信号は、生成されていない。時刻ｔ１において装置の電源がパワーオンされると、電圧生成回路６Ｂは、任意の電圧レベルの信号の生成を開始する。【００４２】
そして、時刻ｔ２となって装置の電源が安定すると、ＢＩＯＳからＯＳへ制御が切り替わる時刻ｔ３前まで、ＢＩＯＳがＰＯＳＴ処理中となる。この期間中、ＭＸＭカード２は、デフォルト“Ｈ”のＰＷＭ信号（ｓ１）を出力する。これに並行して、電圧生成回路６Ｂは、任意の電圧レベルの信号（ｓ２）を出力する。なお、任意の電圧レベルの信号は、装置のユーザがファン３１、３２の音をうるさく感じない程度の回転数に対応した電圧レベルであってＭＸＭカード２を冷却可能な回転数に対応した電圧レベルの信号を指す。ここでは、任意の電圧レベルの信号は、最大レベルの５０％を示すものとする。【００４３】
また、この期間中、電圧レベル切替回路７Ｂは、ファン３１、３２への出力を、任意の電圧レベルの信号としている。このため、電圧レベル切替回路７Ｂは、任意の電圧レベルの信号に対応した任意のファン制御用電圧（ｓ３）をファン３１、３２へ出力する。すると、ファン３１、３２は、任意のファン制御用電圧に対応した任意の回転数（ｓ４）で回転する。【００４４】
その後、ＰＯＳＴ処理が終了する時刻ｔ３になった段階で、ＢＩＯＳからＯＳへ制御が切り替わる。そして、電圧レベル切替回路７Ｂは、ファン３１、３２への出力を、任意の電圧レベルの信号から、ＭＸＭカード２からのＰＷＭ信号に対応する電圧レベルの信号に切り替える。そして、ＯＳが動作状態になると、ＶＧＡドライバ４１が起動するので、起動したＶＧＡドライバ４１が、ＭＸＭカード２の温度を監視できる状態となり、ＭＸＭカード２の温度に応じたＰＷＭ信号をＭＸＭカード２に出力させる。【００４５】
そして、ＯＳが動作状態になってから時刻ｔ４になるまで、ＭＸＭカード２は、ファンの回転数が低速となるようなＰＷＭ信号（ｓ５）を出力する。そこで、電圧レベル切替回路７Ｂは、ＰＷＭ信号に対応したファン制御用電圧（ｓ６）をファン３１、３２へ出力する。すると、ファン３１、３２は、ファン制御用電圧に対応した低速の回転数（ｓ７）で回転する。【００４６】
そして、時刻ｔ４から時刻ｔ５になるまで、ＭＸＭカード２は、ファンの回転数が中速となるようなＰＷＭ信号（ｓ８）を出力する。そこで、電圧レベル切替回路７Ｂは、ＰＷＭ信号に対応したファン制御用電圧（ｓ９）をファン３１、３２へ出力する。すると、ファン３１、３２は、ファン制御用電圧に対応した中速の回転数（ｓ１０）で回転する。【００４７】
さらに、時刻ｔ５以降、ＭＸＭカード２は、ファンの回転数が高速となるようなＰＷＭ信号（ｓ１１）を出力する。そこで、電圧レベル切替回路７Ｂは、ＰＷＭ信号に対応したファン制御用電圧（ｓ１２）をファン３１、３２へ出力する。すると、ファン３１、３２は、ファン制御用電圧に対応した高速の回転数（ｓ１３）で回転する。【００４８】
［実施例１の効果］
上記実施例１によれば、ファン制御装置１Ａは、発熱部品であるＭＸＭカード２を冷却するファン３１、３２の回転を制御する任意のＰＷＭ信号を生成するＰＷＭ生成回路６Ａを有する。そして、ファン制御装置１Ａは、ＭＸＭカード２とファン３１、３２との間で、ＰＷＭ生成回路６Ａによって生成された任意のＰＷＭ信号から、ＭＸＭカード２からのＰＷＭ信号に、ファン３１、３２への出力を切り替えるＰＷＭ切替回路７Ａを有する。さらに、ファン制御装置１Ａは、ＰＷＭ切替回路７Ａの切替を所定のタイミングで指示する切替指示部８を有する。かかる構成によれば、ファン制御装置１Ａは、任意のＰＷＭ信号からＭＸＭカード２からのＰＷＭ信号に、ファンへの出力を所定のタイミングで切り替えるので、ＭＸＭカード２からのＰＷＭ信号が制御不能な期間におけるファンの回転を適切に制御できる。【００４９】
また、上記実施例１によれば、切替指示部８は、ＢＩＯＳからＯＳに制御が切り替わったとき、ＰＷＭ切替回路７Ａの切り替えを指示する。かかる構成によれば、ＰＷＭ切替回路７Ａは、ＢＩＯＳからＯＳに制御が切り替わったとき、ＰＷＭ生成回路６Ａによって生成された任意のＰＷＭ信号から、ＭＸＭカード２からのＰＷＭ信号に、ファンへの出力を切り替える。このため、ＰＷＭ切替回路７Ａは、ＢＩＯＳからＯＳに制御が切り替わった後、ＭＸＭカード２を冷却するファンの回転を制御するドライバによって制御された適切なＰＷＭ信号をファンへ出力できる。他方、ＰＷＭ切替回路７Ａは、ＢＩＯＳからＯＳに制御が切り替わるまで、任意のＰＷＭ信号をファンへ出力する。このため、ＰＷＭ切替回路７Ａは、ＭＸＭカード２のドライバが起動できない期間に、例えばファンが最大回転とならないような任意のＰＷＭ信号を出力できるので、ファンの音がうるさく感じられるという問題を解決できる。また、ＰＷＭ切替回路７Ａは、ＭＸＭカード２のドライバが起動できない期間に、例えばファンが無回転とならない任意のＰＷＭ信号を出力できるので、ＭＸＭカード２の温度が極端に上昇してしまうという問題を解決できる。【００５０】
また、上記実施例１によれば、ファン制御装置１Ｂは、ファンの回転を制御する信号が電圧レベルの信号である場合、ＭＸＭカード２と電圧レベル切替回路７Ｂとの間に、ＭＸＭカード２からのＰＷＭ信号を電圧レベルの信号に変換する変換回路９を有する。そして、電圧レベル切替回路７Ｂは、電圧生成回路６Ｂによって生成された任意の電圧レベルの信号から変換回路９によって変換された電圧レベルの信号に、ファン３１、３２への出力を切り替える。かかる構成によれば、ファン制御装置１Ｂは、任意の電圧信号から、ＭＸＭカード２からのＰＷＭ信号を変換した電圧信号に、ファンへの出力を所定のタイミングで切り替える。このため、ファン制御装置１Ｂは、ＭＸＭカード２からのＰＷＭ信号が制御不能な期間におけるファンの回転を適切に制御できる。
【実施例２】
【００５１】
ところで、実施例１のファン制御装置１Ａは、切替指示部８が、ＢＩＯＳからＯＳに制御が切り替わったタイミングで、ＰＷＭ切替回路７Ａの切り替えを指示している。しかしながら、ファン制御装置１Ａは、これに限定されるものではなく、切替指示部８が、ユーザからの指示があったタイミングで、ＰＷＭ切替回路７Ａの切り替えを指示しても良い。【００５２】
そこで、実施例２では、切替指示部８が、ユーザからの指示があったタイミングで、ＰＷＭ切替回路７Ａの切り替えを指示する場合を説明する。【００５３】
［実施例２に係るファン制御装置の構成］
図６は、実施例２に係るファン制御装置の構成を示すブロック図である。なお、図１に示すファン制御装置１Ａと同一の構成については同一符号を示すことで、その重複する構成および動作の説明については省略する。実施例１と実施例２とが異なるところは、制御部４にＦＡＮ制御アプリケーション４２を追加し、ＶＧＡドライバ４１Ｃを変更した点にある。また、実施例１と実施例２とが異なるところは、アプリ画面表示部１０を追加した点にある。さらに、実施例１と実施例２とが異なるところは、記憶部５にユーザ設定テーブル５２、温度ステータス記憶領域５３およびファン回転数記憶領域５４を追加した点にある。【００５４】
アプリ画面表示部１０は、各種の情報、例えばファン制御アプリケーション４２から出力された画面を表示する表示デバイスである。一例として、モニタ、ディスプレイやタッチパネル等を適用できる。【００５５】
ファン制御アプリケーション４２は、ユーザからの指示があったタイミングで、ＰＷＭ切替回路７Ａの切り替えを指示する。一例として、ファン制御アプリケーション４２は、アプリ画面表示部１０に表示する画面からＰＷＭ信号の切り替え指示を受けると、ＰＷＭ切替回路７Ａに対し、任意のＰＷＭ信号からＭＸＭカード２からのＰＷＭ信号への切り替えを指示する。ここで、ユーザからの指示があるタイミングの例として、ユーザがファンの回転によって発生する音をうるさいと感じた場合や、ユーザがＭＸＭカード２を搭載する装置の温度が高温になったと感じた場合等がある。また、任意のＰＷＭ信号とは、ユーザがファン３１、３２の音をうるさく感じない程度の回転数に対応したＰＷＭ信号であってＭＸＭカード２を冷却可能な回転数に対応したＰＷＭ信号を指す。【００５６】
また、ファン制御アプリケーション４２は、ＶＧＡドライバ４１Ｃによってファンの制御に用いられるユーザ設定テーブル５２を、アプリ画面表示部１０に表示する画面からの指示に基づいて変更する。ここで、ユーザ設定テーブル５２とは、ＭＸＭカード２の可能性のある温度と対応させて、変更可能なファンの回転情報を記憶する。一例として、ユーザ設定テーブル５２は、ＭＸＭカード２がなり得る可能性のある温度と、ファンの回転数の割合とを対応付けて記憶する。ファンの回転数の割合とは、ファンの回転数の最大回転数に対する割合を示す。このユーザ設定テーブル５２は、装置の運用前にあらかじめ設定され、装置の運用中にユーザによって変更されることもある。【００５７】
ＶＧＡドライバ４１Ｃは、ＯＳが起動した後、且つＰＷＭ切替回路７Ａが切り替えられた後、ＭＸＭカード２の温度に応じてファン３１、３２の回転を制御する。一例として、ＶＧＡドライバ４１Ｃは、ユーザ設定テーブル５２に記憶された、温度とファンの回転数の割合とを用いて、ＭＸＭカード２の温度に対応するファンの回転を制御するＰＷＭ信号をＭＸＭカード２に出力させる。すなわち、ＶＧＡドライバ４１は、ＯＳが起動する前は、起動できないので、ＭＸＭカード２の温度に応じたＰＷＭ信号を制御できず、ファンの回転の制御を任意のＰＷＭ信号に任せる。そして、ＶＧＡドライバ４１は、ＯＳが起動した後であってもＰＷＭ切替回路７Ａが切り替えられる前は、ファンの回転の制御を任意のＰＷＭ信号に任せる。そして、ＶＧＡドライバ４１は、ＰＷＭ切替回路７Ａが切り替えられた後、ユーザ設定テーブル５２を用いたファンの回転の制御を行う。【００５８】
温度ステータス記憶領域５３は、ＭＸＭカード２の現在の温度を記憶する。ファン回転数記憶領域５４は、ファン３１、３２の現在の回転数を記憶する。【００５９】
［実施例２に係るファン制御の手順］
次に、実施例２に係るファン制御の手順を、図７を参照して説明する。図７は、実施例２に係るファン制御の手順を示すフローチャートである。図７の例は、ＭＸＭカード２からのＰＷＭ信号のデフォルト値を高レベル（“Ｈ”）にしている。【００６０】
まず、ＭＸＭカード２、ファン３１、３２およびファン制御装置１Ａが搭載された装置の電源がパワーオンされると（ステップＳ３１）、ＢＩＯＳがＰＯＳＴ処理を開始する。このとき、ＭＸＭカード２は、ＭＸＭカード２からのＰＷＭ信号をデフォルトの高レベルにしてＰＷＭ切替回路７Ａへ出力する。これに並行して、ＰＷＭ生成回路６Ａは、任意のＰＷＭ信号を生成し、ＰＷＭ切替回路７Ａに出力する。そして、ファン３１、３２は、ＰＷＭ切替回路７Ａから任意のＰＷＭ信号を受け取り、受け取った任意のＰＷＭ信号に対応する回転数で回転する。【００６１】
その後、ＢＩＯＳがＰＯＳＴ処理を終了し、ＯＳへ制御を受け渡す（ステップＳ３２）。すると、ＯＳが起動し（ステップＳ３３）、起動後、ＶＧＡドライバ４１Ｃが起動する（ステップＳ３４）。【００６２】
ユーザがＯＳ動作状態においてファン制御アプリケーション４２を起動する（ステップＳ３５）。起動後、ファン制御アプリケーション４２は、ユーザからの指示があったタイミングで、ＰＷＭ切替回路７Ａの切り替えを指示し、ＰＷＭ切替回路７Ａを任意のＰＷＭ信号からＭＸＭカード２側のＰＷＭ信号へ切り替えさせる(ステップＳ３６)。この結果、ＰＷＭ切替回路７Ａの切り替え後、ＶＧＡドライバ４１Ｃが、ユーザ設定テーブル５２を用いてファン３１、３２の回転を制御する。【００６３】
その後、ファン制御アプリケーション４２が、アプリ画面表示部１０に表示する画面からファンの回転情報の変更指示を取得すると、変更指示のあったファンの回転情報の値をユーザ設定テーブル５２に設定する（ステップＳ３７）。その後、ＶＧＡドライバ４１Ｃは、ユーザ設定テーブル５２に設定した値に合わせて、ファンの回転数を制御する（ステップＳ３８）。【００６４】
次に、実施例２に係るファン制御アプリケーション４２の画面例を、図８〜図１０を参照して説明する。図８は、ファン制御アプリケーションのデフォルトの画面例を示す。図９は、ファンの回転によって発生する音の音量を下げたい場合の、ファン制御アプリケーションの画面の設定例を示す。図１０は、装置本体の温度を低くしたい場合の、ファン制御アプリケーションの画面の設定例を示す。【００６５】
図８に示すように、ファン制御アプリケーション４２の画面は、温度、ファン回転数、ファン回転設定、温度設定およびファン回転の割合を表示する。温度は、ＭＸＭカード２の現在の温度である。一例として、ＶＧＡドライバ４１Ｃが、検知したＭＸＭカード２の温度を温度ステータス記憶領域５３に格納し、ファン制御アプリケーション４２が温度ステータス記憶領域５３に記憶された温度を表示する。【００６６】
ファン回転数は、現在のファンの回転数である。一例として、ＶＧＡドライバ４１Ｃが、ＭＸＭカード２の温度に応じたファンの回転を制御する際のファンの回転数の割合およびファンの回転数を表示する。ファン回転設定では、無回転の設定も含めて、８段階の温度に合わせたファンの回転数が設定できる。温度設定では、０段階目を除く７段階の温度が設定できる。ファン回転の割合では、対象温度になったときのファンの回転数に相当するファンの回転の割合が設定できる。【００６７】
例えば、０段階目では、対象温度が５４度以下の場合、ファンの回転の割合を無回転の０％としている。１段階目では、対象温度が５５度の場合、ファンの回転の割合を３０％としている。そして、７段階目では、対象温度が９６度以上の場合、ファンの回転の割合を９０％としている。【００６８】
図９に示すように、ファン制御アプリケーション４２の画面は、ファンの回転が上昇する４段階目から７段階目までのファン回転の割合を５０％に設定している。これにより、ユーザがファンの回転によって発生する音をうるさいと感じた場合に、ファン回転の割合を設定することで、ファンの回転音や風きり音を下げることができる。【００６９】
図１０に示すように、ファン制御アプリケーション４２の画面は、０段階目を除く前段階のファン回転の割合を１００％に設定している。これにより、ユーザが装置本体の温度が高くなったと感じた場合に、ファン回転の割合を設定することで、装置本体の熱を効率的に冷却できる。【００７０】
［実施例２の効果］
上記実施例２によれば、ファン制御装置１Ｃのファン制御アプリケーション４２は、ユーザからの指示があったとき、ＰＷＭ切替回路７Ａの切り替えを指示するようにした。かかる構成によれば、ファン制御アプリケーション４２は、ユーザの要望に合致したＰＷＭ切替回路７Ａの切り替えを実現できる。【００７１】
また、上記実施例２によれば、ファン制御装置１Ｃは、発熱部品に相当するＭＸＭカード２がなり得る可能性のある温度と対応させて、変更可能なファン３１、３２の回転情報を記憶するユーザ設定テーブル５２を有する。そして、ファン制御装置１Ｃは、ユーザ設定テーブル５２に記憶された、温度とファンの回転情報とを用いて、ＭＸＭカード２の温度に対応するファンの回転を制御する信号をＭＸＭカード２から出力させるＶＧＡドライバ４１Ｃを有する。かかる構成によれば、ファン制御装置１Ｃは、ユーザ設定テーブル５２について、温度と対応させたファンの回転情報を変更可能としたので、ユーザによって異なる感覚に応じたファンの回転を制御できる。【００７２】
［ファン制御を用いるハードウェア構成の一例］
ここで、実施例に係るファン制御を用いるハードウェア構成の一例について、図１１〜図１３を参照して説明する。図１１は、実施例に係るファン制御を用いるモバイルワークステーションの概観の一例を示す。図１２は、ＶＧＡカードの本体部における搭載場所の一例を示す。図１３は、実施例に係るファン制御を用いるモバイルワークステーションのハードウェア構成の一例を示す。【００７３】
図１１に示すように、ファン制御を用いるモバイルワークステーションとしてノート型のワークステーションＤ１がある。ノート型のワークステーションＤ１は、表示ユニットＤ１１、表示部Ｄ１２、キーボードＤ１３、タッチパッドＤ１４および本体部Ｄ１５を有する。図１２に示すように、本体部Ｄ１５のメインボード９にＭＸＭカード２の一例である外付けＶＧＡカード２Ａが装着される。この外付けＶＧＡカード２Ａは、メインボードと独立しており、変更可能となっている。【００７４】
図１３に示すように、モバイルワークステーション１００は、外付けＶＧＡカード１０１と、２個の外付けＶＧＡカード用のファン１０２と、制御回路１２０と、ＣＰＵ１０３と、メモリ１０４と、ＨＤＤ（Hard  Disk  Drive）１０５とを有する。また、モバイルワークステーション１００は、ＯＤＤ（Optical  disk  drive）１０６と、チップセット１０７と、ＢＩＯＳのＲＯＭ（Read  Only  Memory）１０８と、ファンコントローラ１０９と、ＣＰＵ用のファン１１０とを有する。さらに、モバイルワークステーション１００は、ＬＣＤ（Liquid  Crystal  Display）１１１と、オーディオデバイス１１２と、入力デバイス１１４とを有する。外付けＶＧＡカード１０１、制御回路１２０、メモリ１０４およびチップセット１０７は、ＣＰＵ１０３とそれぞれバスで接続されている。【００７５】
ここで、制御回路１２０は、図１に示したＰＷＭ生成回路６Ａと、ＰＷＭ切替回路７Ａと、切替指示部８と同様の機能を有する回路を表す。そして、符号１Ｄで示される領域が、図１に示したファン制御装置１Ａと同様の機能を有する装置を表す。【００７６】
ＨＤＤ１０５には、図１に示した制御部４と同様の機能を有するＶＧＡドライバが記憶される。また、ＨＤＤ１０５には、ＯＳおよび図１に示した回転情報記憶領域５１に対応する回転情報が記憶される。そして、ＣＰＵ１０３が、ＯＳの起動後、ＶＧＡドライバをＨＤＤ１０５から読み出してメモリ１０４にロードすることにより、ＶＧＡドライバがＯＳ上で動作する。【００７７】
外付けＶＧＡカード１０１は、ファンを制御するＰＷＭ信号を制御回路１２０へ出力する。制御回路１２０は、任意のＰＷＭ信号を生成し、生成した任意のＰＷＭ信号を外付けＶＧＡカード用のファン１０２へ出力する。そして、制御回路１２０は、所定のタイミングで、任意のＰＷＭ信号から、外付けＶＧＡカード１０１からのＰＷＭ信号に切り替える。【００７８】
［その他］
なお、ファン制御装置１Ａ〜１Ｃは、ＭＸＭカード２およびファン３１、３２を含まないものとして説明した。しかしながら、ファン制御装置１Ａ〜１Ｃは、これに限定されず、ＭＸＭカード２およびファン３１、３２を含むものとしても良い。【００７９】
また、ファン制御装置１Ａ〜１Ｃでは、ＰＷＭ生成回路６Ａや電圧生成回路６Ｂが、回転情報記憶領域５１に記憶された任意の回転数を読み出し、読み出した任意の回転数に対応したＰＷＭ信号を生成するものとして説明した。しかしながら、ＰＷＭ生成回路６Ａや電圧生成回路６Ｂは、これに限定されず、あらかじめ定められた任意の回転数に対応したＰＷＭ信号を生成するようにしても良い。【００８０】
また、ファン制御装置１Ａ〜１Ｃは、既知のパーソナルコンピュータ、ワークステーションなどの情報処理装置に、上記したＰＷＭ生成回路６Ａ、ＰＷＭ切替回路７Ａおよび切替指示部８等の各機能を搭載することによって実現することができる。【００８１】
また、図示したファン制御装置１Ａ〜１Ｃの各構成要素は、必ずしも物理的に図示の如く構成されていることを要しない。すなわち、各装置の分散・統合の具体的態様は図示のものに限られず、その全部又は一部を、各種の負荷や使用状況などに応じて、任意の単位で機能的又は物理的に分散・統合して構成することができる。例えば、ＰＷＭ生成回路６ＡおよびＰＷＭ切替回路７Ａを１個の部として統合しても良い。また、記憶部５をＰＷＭ生成回路６Ａに統合しても良いし、記憶部５をファン制御装置１Ａの外部装置としてバスまたはネットワーク経由で接続するようにしても良い。【００８２】
また、ファン制御装置１Ａ〜１Ｃにて行われる各処理機能は、その全部または任意の一部が、ＣＰＵ（またはＭＰＵ（Micro-Processing  Unit）、ＭＣＵ（Micro  Controller  Unit）などのマイクロ・コンピュータ）あるいは、ワイヤードロジックによるハードウェアとして実現されても良い。また、ファン制御装置１Ａ〜１Ｃにて行われる各処理機能は、その全部または任意の一部が、ＣＰＵ（またはＭＰＵ、ＭＣＵなどのマイクロ・コンピュータ）にて解析実行されるプログラムにて実現されても良い。
【符号の説明】
【００８３】
１Ａ、１Ｂ、１Ｃ  ファン制御装置
２  ＭＸＭカード
２１  温度検出回路
３１、３２  ファン
４  制御部
４１、４１Ｃ  ＶＧＡドライバ
４２  ファン制御アプリケーション
５  記憶部
５１  回転情報記憶領域
５２  ユーザ設定テーブル
５３  温度ステータス記憶領域
５４  ファン回転数記憶領域
６Ａ  ＰＷＭ生成回路
６Ｂ  電圧生成回路
７Ａ  ＰＷＭ切替回路
７Ｂ  電圧レベル切替回路
８  切替指示部
１０  アプリ画面表示部
【図１】
2012111158.tif 000003
【図２】
2012111158.tif 000004
【図３】
2012111158.tif 000005
【図４】
2012111158.tif 000006
【図５】
2012111158.tif 000007
【図６】
2012111158.tif 000008
【図７】
2012111158.tif 000009
【図８】
2012111158.tif 000010
【図９】
2012111158.tif 000011
【図１０】
2012111158.tif 000012
【図１１】
2012111158.tif 000013
【図１２】
2012111158.tif 000014
【図１３】
2012111158.tif 000015
【図１４】
2012111158.tif 000016
【図１５】
2012111158.tif 000017
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
発熱部品を冷却するファンの回転を制御する任意の信号を生成する信号生成回路と、
前記発熱部品と前記ファンとの間で、前記信号生成回路によって生成された前記任意の信号から、前記発熱部品からの信号に、前記ファンへの出力を切り替える切替回路と、
前記切替回路の切り替えを所定のタイミングで指示する切替指示部と
を有することを特徴とするファン制御装置。
【請求項２】
前記切替指示部は、
第１プログラムから第２プログラムに制御が切り替わったとき、前記切替回路の切り替えを指示することを特徴とする請求項１に記載のファン制御装置。
【請求項３】
前記切替指示部は、
ユーザからの指示があったとき、前記切替回路の切り替えを指示することを特徴とする請求項１に記載のファン制御装置。
【請求項４】
前記発熱部品の可能性のある温度と対応させて、変更可能な前記ファンの回転情報を記憶する記憶部と、
前記記憶部に記憶された、前記温度と前記ファンの回転情報とを用いて、前記発熱部品の温度に対応するファンの回転を制御する信号を前記発熱部品から出力させる制御部と
をさらに有することを特徴とする請求項１に記載のファン制御装置。
【請求項５】
発熱部品を冷却するファンにおける回転を制御するファン制御方法であって、
前記ファンの回転を制御する信号を切り替える切替回路に、前記発熱部品からの信号および前記任意の信号を入力し、
前記切替回路の切り替えが所定のタイミングで指示されると、前記任意の信号から前記発熱部品からの信号に、前記ファンへの出力を切り替える
ことを特徴とするファン制御方法。
【国際調査報告】
2012111158.tif 000018
2012111158.tif 000019